(57)【要約】  【課題】  ロックを解除する際の操作性に優れ、また、鍵の管理が煩雑にならない、上下分離型のスロットマシンを提供する。  【解決手段】  下ユニットは、下筐体と下前扉とを備え、上ユニットは、上筐体と上前扉とを備える。下筐体には下係合部100が、下前扉には下施錠ユニット110が、上筐体には上係合部130が、上前扉には上施錠ユニット140が設けられる。下施錠ユニット110は、シリンダ錠114と、下摺動体117と、下摺動体117の摺動に連動して下係合部100と係合する位置又は下係合部100との係合が解除される位置へ変位する下鉤爪体119とを備える。上施錠ユニット140は、上摺動体144と、上摺動体144の摺動に連動して上係合部130と係合する位置又は上係合部130との係合が解除される位置へ変位する上鉤爪体146とを備える。下摺動体117は、下摺動体117が施錠位置から解除位置へ摺動するときに上摺動体144を施錠位置から解除位置へ摺動させる変位手段を有する。  【選択図】  図１１
2006198285.tif 000002
【特許請求の範囲】
【請求項１】
下ユニットと、下ユニットの上に載置されて固定される上ユニットとを備え、
下ユニットは、前面に開口部を有する箱型の下筐体と、下筐体の前面の開口部を開閉可能に塞ぐ下前扉とを備え、
上ユニットは、前面に開口部を有する箱型の上筐体と、上筐体の前面の開口部を開閉可能に塞ぐ上前扉とを備え、
下筐体の内側の所定位置には、下係合部が設けられ、
下前扉の裏面における下係合部に対応する位置には、下施錠ユニットが設けられ、
下施錠ユニットは、シリンダ錠と、シリンダ錠の操作に連動して上下に摺動する下摺動体と、下摺動体の摺動に連動して下係合部と係合する位置又は下係合部との係合が解除される位置へ変位する下鉤爪体とを備え、
上筐体の内側の所定位置には、上係合部が設けられ、
上前扉の裏面における上係合部に対応する位置には、上施錠ユニットが設けられ、
上施錠ユニットは、上下に摺動する上摺動体と、上摺動体の摺動に連動して上係合部と係合する位置又は上係合部との係合が解除される位置へ変位する上鉤爪体とを備え、
下鉤爪体と下係合部とが係合するときの下摺動体の位置を施錠位置とし、
下鉤爪体と下係合部との係合が解除されるときの下摺動体の位置を解除位置とし、
上鉤爪体と上係合部とが係合するときの上摺動体の位置を施錠位置とし、
上鉤爪体と上係合部との係合が解除されるときの上摺動体の位置を解除位置とし、
下摺動体は、下摺動体が施錠位置から解除位置へ摺動するときに上摺動体を施錠位置から解除位置へ摺動させるための変位手段を有することを特徴とするスロットマシン。
【発明の詳細な説明】
【技術分野】
【０００１】
本発明は、上下分離型のスロットマシンに関し、特に、上前扉及び下前扉の施錠装置に関するものである。
【背景技術】
【０００２】
従来、スロットマシンは、前面に開口部を有する箱型の筐体を備え、また、筐体の前面には、開口部を開閉可能に塞ぐ前扉を備え、また、筐体の内部には、３個の回転リールを横並びに設けたリールユニットや、メダルを払い出すためのホッパーユニットや、遊技を制御するための制御装置や、電力を供給するための電源ユニットなどを備えている。
ところで、遊技店では、遊技者のニーズに応えるため、あるいは他店との競争で優位に立つために、２〜３ヵ月に一度、あるいはそれよりも短いサイクルで、旧機種のスロットマシンから新機種のスロットマシンへの交換が行われる。また、旧機種のスロットマシンから新機種のスロットマシンへの交換は、「新台入れ替え」などと呼ばれる。
【０００３】
またここで、従来、新台入れ替えは、スロットマシン全体をまるごと交換することによって行われていた。
しかし、スロットマシン全体をまるごと交換するとなると、ホッパーユニット内のメダルの抜き取りなどに手間がかかる上に、遊技性とは無関係であって本来であれば交換する必要のないホッパーユニットや電源ユニットまでも交換することとなる。これでは、交換に要する費用が大きくなるだけでなく、資源が無駄になるという問題が生じる。
かかる問題点を解決すべく、下記の特許文献１に開示する技術が提案されている。
すなわち、特許文献１では、上ユニットとこれに着脱自在な下ユニットとを備え、上ユニットには、遊技性に関わるリールユニットや制御装置などを備え、下ユニットには、遊技性には無関係なホッパーユニットや電源ユニットなどを備えている。そして、新台入れ替えの際には、下ユニットから上ユニットを取り外し、異なる種類の上ユニットを取り付けるのみで、遊技性を変更できるようにしている。これにより、交換に要する費用を抑えるとともに、資源の無駄を省くようにしている。
【特許文献１】特開平８−１６４２３６号公報
【発明の開示】
【発明が解決しようとする課題】
【０００４】
ところで、特許文献１に開示されているスロットマシンは、上前扉と下前扉とを有することから、上前扉用の施錠装置と下前扉用の施錠装置とが必要になる。
しかし、上前扉用の施錠装置と下前扉用の施錠装置との各々にシリンダ錠を設けると、構造が複雑になり、また、コスト高にもなる。また、各シリンダ錠の鍵穴にそれぞれ鍵を差し込んで操作しなければ、上前扉及び下前扉の双方のロックを解除できないことから、上前扉及び下前扉の双方を同時に開けようとするときには、きわめて煩雑な操作を強いられることとなる。また、各シリンダ錠の鍵の形状を異なるものにすると、１台のスロットマシンにつき２個の鍵を必要とすることとなり、鍵の管理がきわめて煩雑になる。
【０００５】
（請求項１）
そこで、請求項１記載の発明は、下前扉に下前扉の施錠に用いる下施錠ユニットを設けるとともに、上前扉には上前扉の施錠に用いる上施錠ユニットを設け、下施錠ユニットの動作と上施錠ユニットの動作とを連動させ、下前扉のロックを解除すると、上前扉のロックが解除されるようにして、構造が比較的単純であり、また、製造コストの上昇が抑えられ、また、ロックを解除する際の操作性に優れ、また、鍵の管理が煩雑にならないスロットマシンを提供することを目的とする。
【課題を解決するための手段】
【０００６】
（請求項１）
請求項１記載の発明は、スロットマシン10に係るものであって、下ユニット20と、下ユニット20の上に載置されて固定される上ユニット40とを備え、下ユニット20は、前面に開口部を有する箱型の下筐体21と、下筐体21の前面の開口部を開閉可能に塞ぐ下前扉22とを備え、上ユニット40は、前面に開口部を有する箱型の上筐体41と、上筐体41の前面の開口部を開閉可能に塞ぐ上前扉42とを備え、下筐体21の内側の所定位置には、下係合部100が設けられ、下前扉22の裏面における下係合部100に対応する位置には、下施錠ユニット110が設けられ、下施錠ユニット110は、シリンダ錠114と、シリンダ錠114の操作に連動して上下に摺動する下摺動体117と、下摺動体117の摺動に連動して下係合部100と係合する位置又は下係合部100との係合が解除される位置へ変位する下鉤爪体119とを備え、上筐体41の内側の所定位置には、上係合部130が設けられ、上前扉42の裏面における上係合部130に対応する位置には、上施錠ユニット140が設けられ、上施錠ユニット140は、上下に摺動する上摺動体144と、上摺動体144の摺動に連動して上係合部130と係合する位置又は上係合部130との係合が解除される位置へ変位する上鉤爪体146とを備え、下鉤爪体119と下係合部100とが係合するときの下摺動体117の位置を施錠位置とし、下鉤爪体119と下係合部100との係合が解除されるときの下摺動体117の位置を解除位置とし、上鉤爪体146と上係合部130とが係合するときの上摺動体144の位置を施錠位置とし、上鉤爪体146と上係合部130との係合が解除されるときの上摺動体144の位置を解除位置とし、下摺動体117は、下摺動体117が施錠位置から解除位置へ摺動するときに上摺動体144を施錠位置から解除位置へ摺動させるための変位手段を有することを特徴とする。
【０００７】
本発明は、「上下分離型のスロットマシン10」に係るものである。上下分離型のスロットマシン10は、下ユニット20と、下ユニット20の上に載置されて固定される上ユニット40とを備える。
また、「下ユニット20」は、前面に開口部を有する箱型の下筐体21と、下筐体21の前面の開口部を開閉可能に塞ぐ下前扉22とを備える。また、下前扉22は、その左右のいずれか一方の端部を、ヒンジ23を介して、下筐体21に取り付けられる。これにより、下前扉22は、ヒンジ23を中心に回動し、下筐体21の前面の開口部を開閉可能に塞ぐ。また、下筐体21の内部には、遊技性には無関係なもの、具体的には、例えば、メダルを払い出すためのホッパーユニット25や、電力を供給するための電源ユニット26などが備えられる。
【０００８】
また、「上ユニット40」は、前面に開口部を有する箱型の上筐体41と、上筐体41の前面の開口部を開閉可能に塞ぐ上前扉42とを備える。また、上前扉42は、その左右のいずれか一方の端部を、ヒンジ43を介して、上筐体41に取り付けられる。これにより、上前扉42は、ヒンジ43を中心に回動し、上筐体41の前面の開口部を開閉可能に塞ぐ。また、例えば、下前扉22がその左端部をヒンジ23を介して下筐体21に取り付けられる場合には、上前扉42は、その左端部をヒンジ43を介して上筐体41に取り付けられ、また、下前扉22がその右端部をヒンジ23を介して下筐体21に取り付けられる場合には、上前扉42は、その右端部をヒンジ43を介して上筐体41に取り付けられる。つまり、下前扉22が右開きとされる場合には、上前扉42も右開きとされ、また、下前扉22が左開きとされる場合には、上前扉42も左開きとされる。また、上筐体41の内部には、遊技性に関わるもの、具体的には、例えば、複数個（例えば３個）の回転リールを横並びに設けたリールユニット45や、遊技を制御するための制御装置46などが備えられる。
【０００９】
そして、下ユニット20の上に上ユニット40を載置して固定し、下ユニット20と上ユニット40とをハーネスで接続すると、１台のスロットマシン10になる。また、新台入れ替えの際には、下ユニット20から上ユニット40を取り外し、下ユニット20を遊技店に据え置いたまま、上ユニット40を異なる種類のものに交換して取り付けるのみで、異なる種類のスロットマシン10に入れ替えたのと同様の効果が得られる。これにより、交換に要する費用を抑えつつ、かつ、資源の無駄を省きつつ、遊技性を変更できる。また、下ユニット20のみが故障した場合には、下ユニット20を交換するのみで、新品のスロットマシン10に入れ替えたのと同様の効果が得られる。
【００１０】
また、「下係合部100」は、下筐体21の内側の所定位置に設けられるものである。具体的には、下前扉22が右開きとされる場合には、下係合部100は、例えば、下筐体21の右側板の内面における前端付近に設けることができ、また、下前扉22が左開きとされる場合には、下係合部100は、例えば、下筐体21の左側板の内面における前端付近に設けることができる。また、例えば、下前扉22が右開きとされる場合には、下筐体21の右側板の内面における前端部に沿って、上下方向に延びる下受金具を設け、この下受金具の所定位置に下係合部100を設けることができる。また、例えば、下前扉22が左開きとされる場合には、下筐体21の左側板の内面における前端部に沿って、上下方向に延びる下受金具を設け、この下受金具の所定位置に下係合部100を設けることができる。
【００１１】
また、「下施錠ユニット110」は、下前扉22の施錠に用いられるものであって、下前扉22の裏面における下係合部100に対応する位置に設けられるものである。具体的には、下前扉22が右開きとされる場合には、下係合部100は、例えば、下筐体21の右側板の内面における前端付近に設けることができる。この場合、下施錠ユニット110は、下前扉22の裏面における右端付近に設けることができる。また、下前扉22が左開きとされる場合には、下係合部100は、例えば、下筐体21の左側板の内面における前端付近に設けることができる。この場合、下施錠ユニット110は、下前扉22の裏面における左端付近に設けることができる。
【００１２】
また、下施錠ユニット110は、シリンダ錠114と、シリンダ錠114の操作に連動して上下に摺動する下摺動体117と、下摺動体117の摺動に連動して下係合部100と係合する位置又は下係合部100との係合が解除される位置へ変位する下鉤爪体119とを備える。より具体的には、下施錠ユニット110は、例えば、下前扉22の裏面における左右のいずれか一方の端部に沿って上下に延びるように形成される下ガイド体111と、下ガイド体111に固定されるシリンダ錠114と、シリンダ錠114の操作に連動して下ガイド内で上下に摺動する下摺動体117と、下摺動体117の摺動に連動して下係合部100と係合する位置又は下係合部100との係合が解除される位置へ変位する下鉤爪体119と、下摺動体117を施錠位置方向へ向けて付勢する下スプリング122とを備えたものとすることができる。
【００１３】
また、下鉤爪体119は、下係合部100と係合可能に形成されるものであって、下係合部100と係合する位置、又は下係合部100との係合が解除される位置へ変位するものである。そして、下鉤爪体119と下係合部100とが係合しているときには、下前扉22がロックされ、一方、下鉤爪体119と下係合部100との係合が解除されるときには、下前扉22のロックが解除される。
また、下鉤爪体119は、例えば、下摺動体117と一体的に形成することができる。そして、下摺動体117が摺動すると、下鉤爪体119も摺動して、下係合部100と係合する位置から下係合部100との係合が解除される位置へ変位するように形成することができる。
【００１４】
また、下鉤爪体は、例えば、下摺動体とは別体として形成し、下ガイド体に揺動軸で軸支させることができる。また、下鉤爪体と下摺動体とは、リンク機構を介して連結することができる。そして、下摺動体が摺動すると、リンク機構の働きにより下鉤爪体が揺動軸を中心に揺動して、下係合部と係合する位置から下係合部との係合が解除される位置へ変位するように形成することができる。
また、「上係合部130」は、上筐体41の内側の所定位置に設けられるものである。具体的には、上前扉42が右開きとされる場合には、上係合部130は、例えば、上筐体41の右側板の内面に設けることができ、また、上前扉42が左開きとされる場合には、上係合部130は、例えば、上筐体41の左側板の内面に設けることができる。また、例えば、上前扉42が右開きとされる場合には、上筐体41の右側板の内面における前端部に沿って、上下方向に延びる上受金具を設け、この上受金具の所定位置に上係合部130を設けることができる。また、例えば、上前扉42が左開きとされる場合には、上筐体41の左側板の内面における前端部に沿って、上下方向に延びる上受金具を設け、この上受金具の所定位置に上係合部130を設けることができる。
【００１５】
また、「上施錠ユニット140」は、上前扉42の施錠に用いられるものであって、上前扉42の裏面における上係合部130に対応する位置に設けられるものである。具体的には、上前扉42が右開きとされる場合には、上係合部130は、例えば、上筐体41の右側板の内面における前端付近に設けることができる。この場合、上施錠ユニット140は、上前扉42の裏面における右端付近に設けることができる。また、上前扉42が左開きとされる場合には、上係合部130は、例えば、上筐体41の左側板の内面における前端付近に設けることができる。この場合、上施錠ユニット140は、上前扉42の裏面における左端付近に設けることができる。
【００１６】
また、上施錠ユニット140は、上下に摺動する上摺動体144と、上摺動体144の摺動に連動して上係合部130と係合する位置又は上係合部130との係合が解除される位置へ変位する上鉤爪体146とを備える。より具体的には、上施錠ユニット140は、例えば、上前扉42の裏面における左右のいずれか一方の端部に沿って上下に延びるように形成される上ガイド体141と、上ガイド体141内で上下に摺動する上摺動体144と、上摺動体144の摺動に連動して上係合部130と係合する位置又は上係合部130との係合が解除される位置へ変位する上鉤爪体146と、上摺動体144を施錠位置方向へ向けて付勢する上スプリング152とを備えたものとすることができる。
【００１７】
また、上鉤爪体146は、上係合部130と係合可能に形成されるものであって、上係合部130と係合する位置、又は上係合部130との係合が解除される位置へ変位するものである。そして、上鉤爪体146と上係合部130とが係合しているときには、上前扉42がロックされ、一方、上鉤爪体146と上係合部130との係合が解除されるときには、上前扉42のロックが解除される。
また、上鉤爪体146は、例えば、上摺動体144と一体的に形成することができる。そして、上摺動体144が摺動すると、上鉤爪体146も摺動して、上係合部130と係合する位置から上係合部130との係合が解除される位置へ変位するように形成することができる。
【００１８】
また、上鉤爪体146は、例えば、上摺動体144とは別体として形成し、上ガイド体141に揺動軸149で軸支させることができる。また、上鉤爪体146と上摺動体144とは、リンク機構150を介して連結することができる。そして、上摺動体144が摺動すると、リンク機構150の働きにより上鉤爪体146が揺動軸149を中心に揺動して、上係合部130と係合する位置から上係合部130との係合が解除される位置へ変位するように形成することができる。
ここで、下鉤爪体119と下係合部100とが係合するときの下摺動体117の位置を施錠位置とする。また、下鉤爪体119と下係合部100との係合が解除されるときの下摺動体117の位置を解除位置とする。また、上鉤爪体146と上係合部130とが係合するときの上摺動体144の位置を施錠位置とする。また、上鉤爪体146と上係合部130との係合が解除されるときの上摺動体144の位置を解除位置とする。
【００１９】
そして、下摺動体117は、下摺動体117が施錠位置から解除位置へ摺動するときに上摺動体144を施錠位置から解除位置へ摺動させるための「変位手段」を有する。つまり、変位手段は、下摺動体117に設けられるものであって、上摺動体144を摺動させるためのものである。この変位手段によって、下摺動体117が施錠位置から解除位置へ摺動するときに、上摺動体144が施錠位置から解除位置へ摺動する。この変位手段により、下施錠ユニット110の動作と上施錠ユニット140の動作とが連動し、下前扉22のロックを解除すると、上前扉42のロックが解除される。
このように、本発明によれば、下施錠ユニット110の動作と上施錠ユニット140の動作とが連動し、下前扉22のロックを解除すると、上前扉42のロックが解除される。このため、下施錠ユニット110と上施錠ユニット140との各々にシリンダ錠114を設ける必要がなくなるので、構造を比較的単純にすることができ、また、製造コストの上昇を抑えることができる。また、下施錠ユニット110が備えるシリンダ錠114の鍵穴115に鍵を差し込んで操作すれば、下前扉22及び上前扉42の双方のロックを同時に解除できるので、上前扉42及び下前扉22の双方を開ける際の操作性に優れる。また、１個の鍵で１台のスロットマシン10の上前扉42及び下前扉22の双方のロックを解除できるので、鍵の管理が煩雑にならない。
【発明の効果】
【００２０】
（請求項１）
請求項１記載の発明によれば、下施錠ユニットの動作と上施錠ユニットの動作とが連動し、下前扉のロックを解除すると、上前扉のロックが解除される。このため、構造が比較的単純であり、また、製造コストの上昇が抑えられ、また、ロックを解除する際の操作性に優れ、また、鍵の管理が煩雑にならないスロットマシンを提供できる。
【発明を実施するための最良の形態】
【００２１】
（図面の説明）
図１ないし図１１は、本発明の実施の形態を示すものである。
図１は、上ユニット40と下ユニット20とを分離した状態における、本実施の形態に係るスロットマシン10の斜視図、図２は、下ユニット20の上に上ユニット40を載置して固定した状態における、本実施の形態に係るスロットマシン10の斜視図、図３は、上ユニット40と下ユニット20とを分離し、かつ、上前扉42及び下前扉22を開放した状態における、本実施の形態に係るスロットマシン10の斜視図、図４は、下ユニット20の上に上ユニット40を載置して固定し、かつ、上前扉42及び下前扉22を開放した状態における、本実施の形態に係るスロットマシン10の斜視図、図５は、上下筐体固定手段70を示す側断面図、図６は、上下前扉固定手段80を示す側断面図、図７は、下施錠ユニット110を示す側面図及び背面図、図８は、下施錠ユニット110における下スプリング122の取り付け構造を示す拡大斜視図、図９は、下施錠ユニット110の動作を示す側面図、図１０は、上施錠ユニット140を示す側面図及び背面図、図１１は、上施錠ユニット140の動作と下施錠ユニット110の動作とが連動する様子を示す側面図である。
【００２２】
本実施の形態では、「前面」とは、スロットマシン10において遊技を行う際に遊技者が向き合う面をいう。また、「右側」とは、スロットマシン10の前面に向き合って遊技を行う遊技者から見て右側をいう。また、「左側」とは、スロットマシン10の前面に向き合って遊技を行う遊技者から見て左側をいう。
（スロットマシン10）
図１ないし図４に示すように、本実施の形態に係るスロットマシン10は、上下分離型のスロットマシン10であって、下ユニット20と、下ユニット20の上に載置されて固定される上ユニット40とを備えている。また、下ユニット20は、遊技性には無関係なものであり、また、上ユニット40は、遊技性に関わるものである。そして、下ユニット20の上に上ユニット40を載置して固定し、下ユニット20と上ユニット40とをハーネスで接続すると、１台のスロットマシン10になる。また、新台入れ替えの際には、下ユニット20から上ユニット40を取り外し、下ユニット20を遊技店に据え置いたまま、上ユニット40を異なる種類のものに交換して取り付けるのみで、異なる種類のスロットマシン10に入れ替えたのと同様の効果が得られる。これにより、交換に要する費用を抑えつつ、かつ、資源の無駄を省きつつ、遊技性を変更できる。また、下ユニット20のみが故障した場合には、下ユニット20を交換するのみで、新品のスロットマシン10に入れ替えたのと同様の効果が得られる。
【００２３】
以下、本実施の形態に係る上下分離型のスロットマシン10の各構成について詳述する。
（下ユニット20）
図１ないし図４に示すように、下ユニット20は、前面に開口部を有する箱型の下筐体21と、下筐体21の前面の開口部を開閉可能に塞ぐ下前扉22とを備えている。また、下前扉22は、その左端部を、ヒンジ23を介して、下筐体21の前面左端部に取り付けられている。これにより、下前扉22は、ヒンジ23を中心に回動し、下筐体21の前面の開口部を開閉可能に塞ぐようになっている。
また、下筐体21の内部には、遊技性には無関係な装置が設けられている。具体的には、図３及び図４に示すように、下筐体21の内部中央には、メダルを払い出すためのホッパーユニット25が備えられ、また、下筐体21の内部におけるホッパーユニット25の左側に相当する位置には、当該スロットマシン10が備える各装置に電力を供給するための電源ユニット26が備えられている。
【００２４】
また、ホッパーユニット25は、メダルを払い出すためのものであって、メダルを貯留するためのメダルタンクと、メダルタンクに貯留されているメダルを送り出すための送出機構とを備えている。そして、送出機構によって送り出されたメダルは、後述するメダル払出口28から払い出されるようになっている。
また、図１及び図２に示すように、下前扉22の前面中央には、当該スロットマシン10の機種名のロゴやイメージキャラクターなどが表示される下パネル27が備えられている。また、下前扉22の前面上部右側には、シリンダ錠114の鍵穴115が露出するようにしてある。また、下前扉22の前面下部中央には、メダルを払い出すためのメダル払出口28が設けられ、また、メダル払出口28の下方には、メダル払出口28から払い出されたメダルを受け止めて貯留するためのメダル受け皿29が設けられている。
【００２５】
また、図３に示すように、下ユニット20には、下電源線30と下信号線32とが備えられている。
また、下電源線30は、下筐体21の内部に備えられている電源ユニット26と、後述する上筐体41の内部に備えられているリールユニット45や制御装置46などとを結線する電源接続手段となっている。また、下電源線30の一端は、電源ユニット26に接続されている。また、下電源線30の他端には、コネクタ31が設けられている。また、下電源線30のコネクタ31は、後述する上ユニット40に設けられている上電源線58のコネクタ59と接続可能とされている。そして、下電源線30のコネクタ31と上電源線58のコネクタ59とを接続すると、電源ユニット26とリールユニット45や制御装置46などとが結線されて、電源ユニット26からリールユニット45や制御装置46などへ電力が供給されるようになっている。
【００２６】
また、下信号線32は、下筐体21の内部に備えられているホッパーユニット25や電源ユニット26などと、後述する上筐体41の内部に備えられている制御装置46とを結線する信号接続手段となっている。また、下信号線32の一端は、ホッパーユニット25や電源ユニット26などに接続されている。また、下信号線32の他端には、コネクタ33が設けられている。また、下信号線32のコネクタ33は、後述する上ユニット40に設けられている上信号線60のコネクタ61と接続可能とされている。そして、下信号線32のコネクタ33と上信号線60のコネクタ61とを接続すると、制御装置46とホッパーユニット25や電源ユニット26などとが結線されて、制御装置46とホッパーユニット25や電源ユニット26などとの間で信号が送受信されるようになっている。
【００２７】
（上ユニット40）
図１ないし図４に示すように、上ユニット40は、前面に開口部を有する箱型の上筐体41と、上筐体41の前面の開口部を開閉可能に塞ぐ上前扉42とを備えている。また、上前扉42は、その左端部を、ヒンジ43を介して、上筐体41の前面左端部に取り付けられている。これにより、上前扉42は、ヒンジ43を中心に回動し、上筐体41の前面の開口部を開閉可能に塞ぐようになっている。
また、図３及び図４に示すように、下前扉22は、その左端部を、ヒンジ23を介して下筐体21の前面左端部に取り付けられているとともに、上前扉42も、その左端部を、ヒンジ43を介して上筐体41の前面左端部に取り付けられている。これにより、下前扉22も上前扉42もいずれも右開きとされている。
【００２８】
また、上筐体41の内部には、遊技性に関わる装置が備えられている。具体的には、図３及び図４に示すように、上筐体41の内部中央には、３個の回転リールを横並びに設けたリールユニット45が備えられ、また、上筐体41の内部におけるリールユニット45の上方奥側に相当する位置には、遊技を制御するための制御装置46が備えられている。
また、リールユニット45は、フレームと、このフレームに横並びに固定した３個のステッピングモータと、各ステッピングモータの出力軸に固定した３個の回転リールとを備えている。また、各回転リールの周囲には、「７」「ＢＡＲ」「ベル」「スイカ」「チェリー」「Ｒ」などの複数種類の図柄が所定の配列で合計２１個付されている。
【００２９】
また、制御装置46は、遊技を制御するためのものであって、ＣＰＵ、ＲＡＭ、ＲＯＭ、及びＩ／Ｏなどを備えたマイクロコンピュータを用いて構成されている。また、図３及び図４に示すように、制御装置46は、上筐体41の背板内面に固定されている。また、制御装置46の入力手段としては、スタートスイッチ55、ストップスイッチ56、ベットスイッチ52,53、精算スイッチ54、及びメダルセンサーなどが接続されている。また、制御装置46の出力手段としては、リールユニット45、ホッパーユニット25、及びメダル処理ユニット47などが接続されている。また、制御装置46は、ＲＯＭに記憶された所定のプログラムをＣＰＵが実行することにより、遊技制御手段、役抽選手段、停止制御手段、及び入賞判定手段などとして機能する。
【００３０】
また、図１及び図２に示すように、上前扉42の前面中央には、上パネル48が備えられ、また、上パネル48の中央には、３個の回転リールを視認するためのリール窓49が設けられている。
また、リール窓49は、各回転リールの前方に位置しており、３個すべての回転リールの回転が停止した際には、縦３列横３行に配列した合計９個の図柄が視認可能となるように形成されている。また、リール窓49を通して視認可能となる縦３列横３行の図柄配列は、「出目」などと呼ばれる。
また、図１及び図２に示すように、上前扉42の前面下部には、上前扉42の前面から前方へ向けて突出する操作部50が設けられている。そして、操作部50の上面右側には、メダルを投入するためのメダル投入口51が設けられ、また、操作部50の上面左側には、クレジットされているメダルを投入するためのベットスイッチ52,53が設けられ、また、操作部50の前面右側には、クレジットされているメダルを払い出すための精算スイッチ54が設けられ、また、操作部50の前面左側には、回転リールの回転を開始させるためのスタートスイッチ55が設けられ、また、操作部50の前面中央には、回転リールの回転を停止させるための３個のストップスイッチ56が横並びに設けられている。
【００３１】
また、スタートスイッチ55は、回転リールの回転を開始させるためのものであって、図１及び図２に示すように、操作部50の前面左側に設けられている。また、スタートスイッチ55は、レバー式のスイッチを用いて構成されており、レバーの先端を押し下げると、スタート信号が出力されて、各回転リールの回転が開始するようになっている。
また、ストップスイッチ56は、回転リールの回転を停止させるためのものであって、図１及び図２に示すように、操作部50の前面中央に設けられている。また、ストップスイッチ56は、３個設けられており、また、各ストップスイッチ56は、各回転リールにそれぞれ対応している。また、３個のストップスイッチ56は、操作部50の前面中央に横並びに設けられている。また、各ストップスイッチ56は、それぞれ、押しボタン式のスイッチを用いて構成されており、左側のストップスイッチ56が備えるボタンを押すと、左ストップ信号が出力されて、左側の回転リールの回転が停止し、また、中央のストップスイッチ56が備えるボタンを押すと、中ストップ信号が出力されて、中央の回転リールの回転が停止し、また、右側のストップスイッチ56が備えるボタンを押すと、右ストップ信号が出力されて、右側の回転リールの回転が停止するようになっている。
【００３２】
また、ベットスイッチ52,53は、クレジットされているメダルを投入するためのものであって、図１及び図２に示すように、操作部50の上面左側に設けられている。また、本実施の形態では、ベットスイッチ52,53として、シングルベットスイッチ52と、マックスベットスイッチ53とが備えられている。また、図１及び図２に示すように、シングルベットスイッチ52及びマックスベットスイッチ53は、操作部50の上面左側に横並びに設けられている。左側に位置するのがシングルベットスイッチ52であり、右側に位置するのがマックスベットスイッチ53である。
また、シングルベットスイッチ52は、押しボタン式のスイッチを用いて構成されており、ボタンを押すと、１枚ベット信号が出力されるようになっている。そして、ボタンを１回押すと、１枚ベット信号が１回出力されて、クレジットされているメダルが１枚投入され、また、ボタンを２回押すと、１枚ベット信号が２回出力されて、クレジットされているメダルが２枚投入され、また、ボタンを３回押すと、１枚ベット信号が３回出力されて、クレジットされているメダルが３枚投入されるようになっている。
【００３３】
また、マックスベットスイッチ53も、シングルベットスイッチ52と同様に、押しボタン式のスイッチを用いて構成されている。ただ、マックスベットスイッチ53は、ボタンを押すと、マックスベット信号が出力されるようになっている。そして、マックスベット信号が出力されると、クレジットされているメダルが、１回の遊技につき投入可能な最大枚数（本実施の形態では３枚）投入されるようになっている。
また、精算スイッチ54は、クレジットされているメダルを払い出すためのものであって、図１及び図２に示すように、操作部50の前面右側に設けられている。また、精算スイッチ54は、押しボタン式のスイッチを用いて構成されており、ボタンを押すと、精算信号が出力されてホッパーユニット25の送出機構が駆動し、クレジットされているメダルがすべてメダル払出口28から払い出されるようになっている。
【００３４】
また、図１及び図２に示すように、上前扉42の前面上部には、演出などに用いられるランプ57が設けられている。
また、図３及び図４に示すように、上前扉42の裏面におけるメダル投入口51の裏側に相当する位置には、メダル投入口51に投入されたメダルを処理するためのメダル処理ユニット47が備えられている。また、図示しないが、メダル処理ユニット47は、メダル投入口51に投入されたメダルを一定方向へ誘導するためのメダル通路と、メダル通路の途中から分岐するメダル返却通路と、メダル通路からメダル返却通路が分岐する分岐部に設けたメダルセレクターと、メダル通路の途中であってメダルセレクターよりも下流側に設けたメダルセンサーとを備えている。
【００３５】
また、図３に示すように、上ユニット40には、上電源線58と上信号線60とが備えられている。
また、上電源線58は、上筐体41の内部に備えられているリールユニット45や制御装置46やランプ57などと、上述した下筐体21の内部に備えられている電源ユニット26とを結線する電源接続手段となっている。また、上電源線58の一端は、リールユニット45や制御装置46やランプ57などに接続されている。また、上電源線58の他端には、コネクタ59が設けられている。また、上電源線58のコネクタ59は、上述した下電源線30のコネクタ31と接続可能とされている。そして、上電源線58のコネクタ59と下電源線30のコネクタ31とを接続すると、電源ユニット26とリールユニット45や制御装置46やランプ57などとが結線されて、電源ユニット26からリールユニット45や制御装置46やランプ57などへ電力が供給されるようになっている。
【００３６】
また、上信号線60は、上筐体41の内部に備えられている制御装置46と、上述した下筐体21の内部に備えられているホッパーユニット25や電源ユニット26などとを結線する信号接続手段となっている。また、上信号線60の一端は、制御装置46に接続されている。また、上信号線60の他端には、コネクタ61が設けられている。また、上信号線60のコネクタ61は、上述した下信号線32のコネクタ33と接続可能とされている。そして、上信号線60のコネクタ61と下信号線32のコネクタ33とを接続すると、制御装置46とホッパーユニット25や電源ユニット26などとが結線されて、制御装置46とホッパーユニット25や電源ユニット26などとの間で信号が送受信されるようになっている。
【００３７】
（上下筐体固定手段70）
上下筐体固定手段70は、上筐体41と下筐体21とを固定するためのものである。
図１、図３、図４及び図５に示すように、上下筐体固定手段70は、上筐体41に設けた第１筐体固定具71と、下筐体21に設けた第２筐体固定具76とを備えている。
また、図３及び図４に示すように、第１筐体固定具71は、上筐体41の下部における、前後方向の中間位置であって、左右の両端付近に、それぞれ１つずつ設けられている。
また、図５に示すように、第２筐体固定具76は、下筐体21の上部における、下ユニット20の上に上ユニット40を載置した際に各第１筐体固定具71に対応する位置に、それぞれ１つずつ設けられている。
【００３８】
また、図５に示すように、第１筐体固定具71は、上筐体41の内方へ向けて突出する半円筒状の半円筒係合部72と、半円筒係合部72の内面の一端から半円筒係合部72の中心方向へ向けて突出する扇形の軸支部73と、半円筒係合部72の外面の一端から半円筒係合部72の外方へ向けて突出する棒状のレバー部74とを有している。また、第１筐体固定具71は、軸支部73の先端を、上筐体41の側板内面に固定した回動軸75によって軸支されている。これにより、第１筐体固定具71は、回動軸75を中心に回動可能となっている。また、上筐体41の底板における、第１筐体固定具71の取り付け部位の下方に相当する位置には、上固定用穴44が設けられている。
【００３９】
また、図５に示すように、第２筐体固定具76は、下筐体21の側板内面から下筐体21の内方へ向けて突出する被係合部77を有している。また、下筐体21の天板における、第２筐体固定具76の取り付け部位の上方に相当する位置には、下固定用穴24が設けられている。
ここで、上下筐体固定手段70による上筐体41と下筐体21との固定について、上筐体41及び下筐体21の右側に備えられている上下筐体固定手段70を例に説明する。
図５の（ａ）に示すように、上筐体41と下筐体21とを固定する前の状態では、半円筒係合部72の凸面が上を向いている。この状態で、レバー部74を操作し、回動軸75を中心に第１筐体固定具71全体を約１８０度回動させる。そうすると、図５の（ｂ）に示すように、半円筒係合部72が上固定用穴44及び下固定用穴24を介して下筐体21の内部に突出し、半円筒係合部72と被係合部77とが係合する。これにより、上筐体41と下筐体21とが固定される。また、上筐体41と下筐体21とを固定した状態では、半円筒係合部72の凸面が下を向く。
【００４０】
一方、上筐体41と下筐体21との固定を解除するには、第１筐体固定具71全体を、固定するときとは逆方向に約１８０度回動させる。そうすると、図５の（ａ）に示すように、半円筒係合部72と被係合部77との係合が解除され、半円筒係合部72が上固定用穴44及び下固定用穴24を介して上筐体41の内部に戻る。これにより、上筐体41と下筐体21との固定が解除される。
なお、上筐体41及び下筐体21の左側に備えられている上下筐体固定手段70は、上述した右側の上下筐体固定手段70とは左右対称である。
（上下前扉固定手段80）
上下前扉固定手段80は、上前扉42と下前扉22とを固定するためのものである。
【００４１】
図３、図４及び図６に示すように、上下前扉固定手段80は、下前扉22に設けた第１扉固定具81と、上前扉42に設けた第２扉固定具89とを備えている。
また、図３及び図４に示すように、第１扉固定具81は、３個備えられ、また、３個の第１扉固定具81は、下前扉22の裏面の上端付近に等間隔で横並びに設けられている。つまり、下前扉22の裏面の上端付近には、３個の第１扉固定具81が等間隔で横並びに設けられている。
また、図３及び図４に示すように、第２扉固定具89は、３個備えられ、また、各第２扉固定具89は、上前扉42の裏面の下端付近であって、各第１扉固定具81に対応する位置に、それぞれ設けられている。つまり、上前扉42の裏面の下端付近には、３個の第２扉固定具89が等間隔で横並びに設けられている。
【００４２】
また、図６に示すように、第１扉固定具81は、円筒状の軸受部82と、軸受部82の外周面から軸受部82の接線方向へ向けて突出する操作レバー83と、軸受部82の外周面から操作レバー83と並行方向に突出するクランクアーム84と、クランクアーム84における軸受部82とは反対側の端部に回動可能に軸支されている伸縮アーム85とを有している。また、伸縮アーム85は、クランクアーム84に軸支される基部86と、基部86の先端に連設されている伸縮部87と、伸縮部87の先端に連設されている係止部88とを有している。また、伸縮部87は、係止部88を基部86方向へ引き付けるように形成されている。つまり、伸縮部87は、係止部88を基部86方向へ付勢するように形成されている。
【００４３】
また、図６に示すように、第２扉固定具89は、Ｊ字形の係止フック90を有している。
ここで、上下前扉固定手段80による上前扉42と下前扉22との固定について説明する。
まず、第１扉固定具81の操作レバー83を上方へ引き上げ、この状態で、第１扉固定具81の係止部88を第２扉固定具89の係止フック90に引っ掛け、次に、第１扉固定具81の操作レバー83を下方へ引き下げる。そうすると、図６の（ａ）に示すように、第１扉固定具81と第２扉固定具89とが固定され、ひいては上前扉42と下前扉22とが固定される。また、伸縮部87が係止部88を基部86方向へ引き付けるように形成されていることから、上前扉42と下前扉22とが固定された状態では、第１扉固定具81の係止部88が第２扉固定具89の係止フック90を引き寄せることにより、上前扉42と下前扉22とが互いに引き寄せられる。これにより、上前扉42と下前扉22とが強力に固定される。また、伸縮部87が伸縮性を有することから、係止部88を引っ張ることができるため、係止部88を係止フック90に引っ掛けやすい。
【００４４】
一方、上前扉42と下前扉22との固定を解除するには、まず、図６の（ｂ）に示すように、第１扉固定具81の操作レバー83を上方へ引き上げ、この状態で、第１扉固定具81の係止部88を第２扉固定具89の係止フック90から外せばよい。
（下受金具）
下受金具は、下前扉22の施錠に用いられるものである。
図示しないが、本実施の形態では、下受金具は、上下方向に延びる板状に形成されている。また、下受金具は、下筐体21の右側板の内面における前端部に沿って設けられている。また、図３及び図４に示すように、下受金具の下端付近には、下ローラー受け片101が設けられ、また、そのすぐ上には、下係合部100が設けられている。
【００４５】
（下施錠ユニット110）
下施錠ユニット110は、下前扉22の施錠に用いられるものであって、下前扉22の裏面における下係合部100に対応する位置に設けられるものである。
図３及び図４に示すように、本実施の形態では、下施錠ユニット110は、下前扉22の裏面における右端付近に設けられている。
また、図７の（ａ）及び（ｂ）に示すように、本実施の形態では、下施錠ユニット110は、下前扉22の裏面における右端部に沿って上下に延びるように形成されている下ガイド体111と、下ガイド体111に固定されるシリンダ錠114と、シリンダ錠114の操作に連動して下ガイド内で上下に摺動する下摺動体117と、下摺動体117の摺動に連動して下係合部100と係合する位置又は下係合部100との係合が解除される位置へ変位する下鉤爪体119と、下摺動体117を施錠位置方向へ向けて付勢する下スプリング122とを備えている。
【００４６】
また、下ガイド体111は、水平方向の断面がほぼ「コ」字形に形成されており、「コ」字形の中央部分が、下前扉22の裏面に固定されるとともに、この「コ」字形の中央部分に、シリンダ錠114が固定されている。また、下ガイド体111の内部には、下摺動体117が収納されている。また、下摺動体117の所定位置には、上下方向に延びる縦長孔が設けられているとともに、この縦長孔に通された摺動軸が下ガイド体111の所定位置に固定されている。これにより、下摺動体117は、下ガイド体111内で上下方向に摺動可能とされている。また、下スプリング122は、下摺動体117を下方へ向けて付勢している。
また、図７の（ｂ）に示すように、シリンダ錠114の錠軸の後端には、カム板116が設けられている。そして、シリンダ錠114の鍵穴115に鍵を差し込んで回すと、錠軸が回転して、カム板116も回転する。また、下摺動体117におけるカム板116に対応する位置には、カム板116と噛み合う長孔が設けられている。そして、シリンダ錠114の鍵穴115に鍵を差し込んで時計回り方向に回すと、図９の（ａ）に示すように、錠軸が時計回り方向に回転するとともに、カム板116も時計回り方向に回転し、更には、カム板116の時計回り方向の回転に伴って、下摺動体117が下スプリング122の付勢力に抗して上方へ摺動する。
【００４７】
また、下鉤爪体119は、下係合部100と係合可能に形成されるものであって、下係合部100と係合する位置、又は下係合部100との係合が解除される位置へ変位するものである。そして、下鉤爪体119と下係合部100とが係合しているときには、下前扉22がロックされ、一方、下鉤爪体119と下係合部100との係合が解除されるときには、下前扉22のロックが解除されるものである。
また、図７の（ａ）に示すように、本実施の形態では、下鉤爪体119は、下摺動体117と一体的に形成されている。このため、下摺動体117が上方へ摺動すると、下鉤爪体119も上方へ摺動し、逆に、下摺動体117が下方へ摺動すると、下鉤爪体119も下方へ摺動する。また、図７の（ａ）に示すように、本実施の形態では、下鉤爪体119は、三角形の板状に形成されている。また、下鉤爪体119の下部には、手前側の高さが低く、かつ、奥側の高さが高くなるように、斜めに傾斜する下傾斜辺120が設けられている。また、下鉤爪体119の下部には、下傾斜辺120の手前側に隣接して、下係合部100が嵌る下向き溝121が設けられている。そして、下前扉22が閉じた状態で、下摺動体117が下方へ摺動すると、下鉤爪体119も下方へ摺動し、下係合部100が下向き溝121に嵌り、下係合部100と下鉤爪体119とが係合する。一方、下前扉22が閉じた状態で、下摺動体117が上方へ摺動すると、下鉤爪体119も上方へ摺動し、下係合部100が下向き溝121から外れ、下係合部100と下鉤爪体119との係合が解除される。また、下摺動体117が下方へ摺動すると、下係合部100と下鉤爪体119とが係合することから、下摺動体117が下方へ摺動したときの位置が、施錠位置となっている。また、下摺動体117が上方へ摺動すると、下係合部100と下鉤爪体119との係合が解除されることから、下摺動体117が上方へ摺動したときの位置が、解除位置となっている。また、下スプリング122は、下摺動体117を下方へ向けて付勢することから、下摺動体117は、常態では、施錠位置に位置するようになっている。
【００４８】
また、下ガイド体111の内部には、下摺動体117と平行に、スイッチ操作体123が収納されている。また、スイッチ操作体123は、下ガイド内で上下に摺動可能とされている。また、スイッチ操作体123は、下スプリング122によって、上方へ向けて付勢されている。また、スイッチ操作体123におけるカム板116に対応する位置には、カム板116と噛み合う被接触部が設けられている。なお、下摺動体117における、被接触部に対応する位置には、縦長孔が設けられている。カム板116とスイッチ操作体123との間には下摺動体117があるものの、この縦長孔により、カム板116が、下摺動体117に接触することなく、被接触部と噛み合うようになっている。そして、シリンダ錠114の鍵穴115に鍵を差し込んで反時計回り方向に回すと、図９の（ｂ）に示すように、錠軸が反時計回り方向に回転するとともに、カム板116も反時計回り方向に回転し、更には、カム板116の反時計回り方向の回転に伴って、スイッチ操作体123が下スプリング122の付勢力に抗して下方へ摺動する。また、下ガイド体111の所定位置には、フォトセンサー125が固定されており、また、スイッチ操作体123の所定位置には、遮光片124が設けられている。そして、スイッチ操作体123が下方へ摺動すると、フォトセンサー125の発光部と受光部との間に遮光片124が位置して、発光部から発せられた光が受光部に届かなくなり、逆に、スイッチ操作体123が上方へ摺動すると、フォトセンサー125の発光部と受光部との間から遮光片124が退いて、フォトセンサー125の発光部から発せられた光が受光部に届く。また、上述したように、スイッチ操作体123は、下スプリング122によって、上方へ向けて付勢されている。このため、常態では、発光部と受光部との間から遮光片124が退き、発光部から発せられた光が受光部に届く。また、上述したように、シリンダ錠114の鍵穴115に鍵を差し込んで反時計回り方向に回すと、スイッチ操作体123が下スプリング122の付勢力に抗して下方へ摺動する。これにより、発光部と受光部との間に遮光片124が位置し、発光部から発せられた光が受光部には届かなくなる。
【００４９】
またここで、図８及び図９に基づいて、下スプリング122の取り付け構造、並びに下摺動体117及びスイッチ操作体123の摺動動作について更に詳しく説明する。図８に示すように、下摺動体117の所定位置には、下ガイド体111の内方へ向けて突出する第１係止片126が設けられている。また、スイッチ操作体123における、第１係止片126の下方に相当する位置には、下ガイド体111の内方へ向けて突出する第２係止片127が設けられている。また、下摺動体117における、第２係止片127に対応する位置には、縦長切欠部128が設けられている。この縦長切欠部128により、第２係止片127が、下摺動体117に接触することなく、下ガイド体111の内方へ向けて突出している。また、下スプリング122の上端のリングは、第１係止片126に係止され、また、下スプリング122の下端のリングは、第２係止片127に係止されている。また、下スプリング122は、第１係止片126と第２係止片127とを互いに引き寄せるように形成されている。また、下ガイド体111の所定位置には、下摺動体117の下方への摺動移動を阻止するための第１ストッパーが設けられているとともに、スイッチ操作体123の上方への摺動移動を阻止するための第２ストッパーが設けられている。常態では、下摺動体117は、第１ストッパーに当接して下方への摺動移動を阻止され、また、スイッチ操作体123は、第２ストッパーに当接して上方への摺動移動を阻止され、また、下スプリング122は、第１係止片126と第２係止片127とを互いに引き寄せて、下摺動体117を下方へ向けて付勢するとともに、スイッチ操作体123を上方へ向けて付勢している。そして、シリンダ錠114の鍵穴115に鍵を差し込んで時計回り方向に回すと、図９の（ａ）に示すように、錠軸が時計回り方向に回転するとともに、カム板116も時計回り方向に回転し、更には、カム板116の時計回り方向の回転に伴って、下摺動体117が下スプリング122の付勢力に抗して上方へ摺動する。逆に、シリンダ錠114の鍵穴115に鍵を差し込んで反時計回り方向に回すと、図９の（ｂ）に示すように、錠軸が反時計回り方向に回転するとともに、カム板116も反時計回り方向に回転し、更には、カム板116の反時計回り方向の回転に伴って、スイッチ操作体123が下スプリング122の付勢力に抗して下方へ摺動する。
【００５０】
また、図７の（ａ）に示すように、下ガイド体111の下端付近には、後方へ向けて突出する板状の下ローラー支持部112が設けられ、この下ローラー支持部112の後下端に、下ローラー113が回転自在に軸支されている。
また、図７の（ａ）及び（ｂ）に示すように、下摺動体117の上端には、下摺動体117の上端から右方向へ向けて突出する板状の押し上げ片118が設けられている。そして、本実施の形態では、この押し上げ片118が、上摺動体144を摺動させる変位手段となっている。
ここで、下鉤爪体119と下係合部100とが係合するときの下摺動体117の位置を施錠位置とする。また、下鉤爪体119と下係合部100との係合が解除されるときの下摺動体117の位置を解除位置とする。また、上鉤爪体146と上係合部130とが係合するときの上摺動体144の位置を施錠位置とする。また、上鉤爪体146と上係合部130との係合が解除されるときの上摺動体144の位置を解除位置とする。
【００５１】
また、変位手段は、下摺動体117が施錠位置から解除位置へ摺動するときに上摺動体144を施錠位置から解除位置へ摺動させるためのものである。この変位手段によって、下摺動体117が施錠位置から解除位置へ摺動するときに、上摺動体144が施錠位置から解除位置へ摺動する。そして、この変位手段により、下施錠ユニット110の動作と上施錠ユニット140の動作とが連動し、下前扉22のロックを解除すると、上前扉42のロックが解除される。下施錠ユニット110及び上施錠ユニット140の動作については、後で更に詳しく説明する。
（上受金具）
上受金具は、上前扉42の施錠に用いられるものである。
【００５２】
図示しないが、本実施の形態では、上受金具は、上下方向に延びる板状に形成されている。また、上受金具は、上筐体41の右側板の内面における前端部に沿って設けられている。また、図３及び図４に示すように、上受金具の下端付近には、上係合部130が設けられ、また、そのすぐ上には、上ローラー受け片131が設けられている。また、上受金具の上端付近にも、上係合部130が設けられている。つまり、本実施の形態では、上受金具の上端付近及び下端付近に、それぞれ、上係合部130が設けられている。
（上施錠ユニット140）
上施錠ユニット140は、上前扉42の施錠に用いられるものであって、上前扉42の裏面における上係合部130に対応する位置に設けられるものである。
【００５３】
図３及び図４に示すように、本実施の形態では、上施錠ユニット140は、上前扉42の裏面における右端付近に設けられている。
また、図１０の（ａ）及び（ｂ）に示すように、本実施の形態では、上施錠ユニット140は、上前扉42の裏面における右端部に沿って上下に延びるように形成されている上ガイド体141と、上ガイド内で上下に摺動する上摺動体144と、上摺動体144の摺動に連動して上係合部130と係合する位置又は上係合部130との係合が解除される位置へ変位する上鉤爪体146と、上摺動体144を施錠位置方向へ向けて付勢する上スプリング152とを備えている。
【００５４】
また、上ガイド体141は、水平方向の断面がほぼ「コ」の字形に形成されており、「コ」の字形の中央部分が、上前扉42の裏面に固定されている。また、上ガイド体141の内部には、上摺動体144が収納されている。また、上摺動体144は、その上下の所定位置をリンク機構150のリンク軸151でそれぞれ軸支されている。これにより、上摺動体144は、上ガイド体141内で上下方向に摺動可能とされている。
また、上鉤爪体146は、上係合部130と係合可能に形成されるものであって、上係合部130と係合する位置、又は上係合部130との係合が解除される位置へ変位するものである。そして、上鉤爪体146と上係合部130とが係合しているときには、上前扉42がロックされ、一方、上鉤爪体146と上係合部130との係合が解除されるときには、上前扉42のロックが解除されるものである。
【００５５】
また、図１０の（ａ）及び（ｂ）に示すように、本実施の形態では、上鉤爪体146は、上施錠ユニット140の上部と下部とにぞれぞれ１個ずつ設けられている。つまり、本実施の形態では、２個の上鉤爪体146が設けられている。また、各上鉤爪体146は、上摺動体144とは別体として形成されている。また、各上鉤爪体146は、上ガイド体141に揺動軸149で軸支されている。また、各上鉤爪体146と上摺動体144とは、リンク機構150を介して連結されている。そして、上摺動体144が摺動すると、リンク機構150の働きにより、各上鉤爪体146が揺動軸149を中心に揺動する。具体的には、上摺動体144が上方へ摺動すると、各上鉤爪体146がその先端を下方へ振るようにして揺動し、逆に、上摺動体144が下方へ摺動すると、各上鉤爪体146がその先端を上方へ振るようにして揺動する。また、図１０の（ａ）に示すように、本実施の形態では、各上鉤爪体146は、三角形の板状に形成されている。また、各上鉤爪体146の上部には、手前側の高さが高く、かつ、奥側の高さが低くなるように、斜めに傾斜する上傾斜辺147が設けられている。また、各上鉤爪体146の上部には、上傾斜辺147の手前側に隣接して、上係合部130が嵌る上向き溝148が設けられている。そして、上前扉42が閉じた状態で、上摺動体144が下方へ摺動すると、各上鉤爪体146がその先端を上方へ振るように揺動し、上係合部130が上向き溝148に嵌り、上係合部130と上鉤爪体146とが係合する。一方、上前扉42が閉じた状態で、上摺動体144が上方へ摺動すると、各上鉤爪体146がその先端を下方へ振るようにして揺動し、上係合部130が上向き溝148から外れ、上係合部130と上鉤爪体146との係合が解除される。また、上摺動体144が下方へ摺動すると、上係合部130と上鉤爪体146とが係合することから、上摺動体144が下方へ摺動したときの位置が、施錠位置となっている。また、上摺動体144が上方へ摺動すると、上係合部130と上鉤爪体146との係合が解除されることから、上摺動体144が上方へ摺動したときの位置が、解除位置となっている。また、上スプリング152は、上摺動体144を下方へ向けて付勢することから、上摺動体144は、常態では、施錠位置に位置するようになっている。
【００５６】
また、図１０の（ａ）に示すように、上ガイド体141における上下の中間位置よりもやや下寄りの位置には、後方へ向けて突出する板状の上ローラー支持部142が設けられ、この上ローラー支持部142の後下端に、上ローラー143が回転自在に軸支されている。
また、図１０の（ａ）及び（ｂ）に示すように、上摺動体144の下端には、上摺動体144の下端から右方向へ向けて突出する板状の被押し上げ片145が設けられている。また、図１１の（ａ）に示すように、上前扉42及び下前扉22の双方を閉じた状態では、下摺動体117の上端に設けた変位手段としての押し上げ片118が、被押し上げ片145に当接するようになっている。そして、図１１の（ｂ）に示すように、下摺動体117が上方へ摺動すると、押し上げ片118が被押し上げ片145を押し上げることにより、上摺動体144も上方へ摺動する。つまり、下施錠ユニット110の動作と上施錠ユニット140の動作とが連動する。そして、下前扉22のロックを解除すると、上前扉42のロックも解除される。また、下施錠ユニット110及び上施錠ユニット140の動作については、後で更に詳しく説明する。
【００５７】
（下前扉22及び上前扉42の開閉）
下前扉22を開いた状態から閉じようとすると、まず、下施錠ユニット110の下ローラー113が下受金具の下ローラー受け片101に乗り上げるのとほぼ同時に、下鉤爪体119の下傾斜辺120が下係合部100の上端に当接する。この状態から下前扉22を更に閉じようとすると、下鉤爪体119の下傾斜辺120が下係合部100の上に乗り上げる。これにより、下摺動体117が下スプリング122の付勢力に抗して上方へ摺動する。この状態から下前扉22を更に閉じようとすると、下鉤爪体119の下傾斜辺120が下係合部100の上を乗り越える。そうすると、下摺動体117が下スプリング122の付勢力によって下方へ摺動するとともに、下係合部100が下鉤爪体119の下向き溝121に嵌る。また、下係合部100が下鉤爪体119の下向き溝121に嵌るのとほぼ同時に、下前扉22が完全に閉じる。これにより、下前扉22がロックされる。
【００５８】
また、上前扉42を開いた状態から閉じようとすると、まず、上施錠ユニット140の上ローラー143が上受金具の上ローラー受け片131に乗り上げるのとほぼ同時に、各上鉤爪体146の上傾斜辺147が各上係合部130の下端に当接する。この状態から上前扉42を更に閉じようとすると、各上鉤爪体146の上傾斜辺147が各上係合部130の下にもぐり込む。これにより、各上鉤爪体146が先端を下方へ振るようにして揺動するとともに、この揺動により、上摺動体144が上スプリング152の付勢力に抗して上方へ摺動する。この状態から上前扉42を更に閉じようとすると、各上鉤爪体146の上傾斜辺147が各上係合部130の下をくぐり抜ける。そうすると、上摺動体144が上スプリング152の付勢力によって下方へ摺動し、この摺動により、各上鉤爪体146が先端を上方へ振るようにして揺動するとともに、各上係合部130が各上鉤爪体146の上向き溝148にそれぞれ嵌る。また、各上係合部130が各上鉤爪体146の上向き溝148に嵌るのとほぼ同時に、上前扉42が完全に閉じる。これにより、上前扉42がロックされる。
【００５９】
また、下前扉22及び上前扉42を閉じた状態から開けようとするときには、シリンダ錠114の鍵穴115に鍵を差し込んで時計回り方向に回す。そうすると、シリンダ錠114の錠軸が時計回り方向に回転するとともに、カム板116が時計回り方向に回転して、下摺動体117が上方へ摺動する。また、下摺動体117が上方へ摺動すると、下鉤爪体119が、下係合部100と係合する位置から下係合部100との係合が解除される位置へ、変位する。これにより、下前扉22のロックが解除される。また、上述したように、下摺動体117の上端には、変位手段としての押し上げ片118が設けられているとともに、上摺動体144の下端には、被押し上げ片145が設けられている。また、図１１の（ａ）に示すように、上前扉42及び下前扉22の双方を閉じた状態では、押し上げ片118が被押し上げ片145に当接するようになっている。そして、図１１の（ｂ）に示すように、下摺動体117が上方へ摺動すると、押し上げ片118が被押し上げ片145を押し上げることにより、上摺動体144も上方へ摺動する。そうすると、リンク機構150を介して各上鉤爪体146が揺動して、各上鉤爪体146が、各上係合部130と係合する位置から各上係合部130との係合が解除される位置へ、変位する。これにより、上前扉42のロックが解除される。このようにして、下施錠ユニット110の動作と上施錠ユニット140の動作とが連動し、下摺動体117が施錠位置から解除位置へ摺動すると、変位手段の作用によって、上摺動体144が施錠位置から解除位置へ摺動する。このため、下前扉22のロックを解除すると、上前扉42のロックも解除される。
【００６０】
このように、本実施の形態では、上ユニット40及び下ユニット20がいずれも箱型であるため、パッケージが容易であり、また、運搬等の際の取り扱いも容易である。また、本実施の形態では、操作部50が上前扉42に設けられているため、遊技性の変更に合わせた操作部50のデザインや構造の変更が容易である。また、本実施の形態では、上下前扉固定手段80によって上前扉42と下前扉22とを固定し、一体化させて、同時に開閉するようにしているため、前扉が上下に２分割されているにもかかわらず、上前扉42の裏面と下前扉22の裏面とを同時に見渡すことができるので、メンテナンスが容易である。
また、本実施の形態では、下施錠ユニット110の動作と上施錠ユニット140の動作とが連動し、下前扉22のロックを解除すると、上前扉42のロックが解除される。このため、下施錠ユニット110と上施錠ユニット140との各々にシリンダ錠114を設ける必要がなくなるので、構造を比較的単純にすることができ、また、製造コストの上昇を抑えることができる。また、下施錠ユニット110が備えるシリンダ錠114の鍵穴115に鍵を差し込んで操作すれば、下前扉22及び上前扉42の双方のロックを同時に解除できるので、上前扉42及び下前扉22の双方を開ける際の操作性に優れる。また、１個の鍵で１台のスロットマシン10の上前扉42及び下前扉22の双方のロックを解除できるので、鍵の管理が煩雑にならないのである。
【００６１】
なお、本実施の形態では、上前扉42及び下前扉22の双方を閉じた状態で、押し上げ片118が被押し上げ片145に当接するとしたが、例えば、上前扉42及び下前扉22の双方を閉じた状態で、押し上げ片118と被押し上げ片145との間にわずかな間隙ができるようにしてもよい。つまり、上前扉42及び下前扉22の双方を閉じた状態で、押し上げ片118と被押し上げ片145との間に「あそび」ができるようにしてもよい。もちろん、「あそび」は、下摺動体117の摺動距離の大きさから比較すると小さなものであり、上摺動体144を押し上げて上施錠ユニット140のロックを解除するにあたって影響を及ぼさない程度とされるものである。そして、押し上げ片118と被押し上げ片145との間に「あそび」を設けることにより、下ユニット20の上に上ユニット40を載置して固定する作業を比較的容易にすることができる。
【図面の簡単な説明】
【００６２】
【図１】本発明の実施の形態に係るスロットマシンにおける、上ユニットと下ユニットとを分離した状態の斜視図。
【図２】本発明の実施の形態に係るスロットマシンにおける、下ユニットの上に上ユニットを載置して固定した状態の斜視図。
【図３】本発明の実施の形態に係るスロットマシンにおける、上ユニットと下ユニットとを分離し、かつ、上前扉及び下前扉を開放した状態の斜視図。
【図４】本発明の実施の形態に係るスロットマシンにおける、下ユニットの上に上ユニットを載置して固定し、かつ、上前扉及び下前扉を開放した状態の斜視図。
【図５】本発明の実施の形態に係るスロットマシンの上下筐体固定手段を示す側断面図。
【図６】本発明の実施の形態に係るスロットマシンの上下前扉固定手段を示す側断面図。
【図７】本発明の実施の形態に係るスロットマシンの下施錠ユニットを示す側面図及び背面図。
【図８】本発明の実施の形態に係るスロットマシンの下施錠ユニットにおける下スプリングの取り付け構造を示す拡大斜視図。
【図９】本発明の実施の形態に係るスロットマシンの下施錠ユニットの動作を示す側面図。
【図１０】本発明の実施の形態に係るスロットマシンの上施錠ユニットを示す側面図及び背面図。
【図１１】本発明の実施の形態に係るスロットマシンにおける上施錠ユニットの動作と下施錠ユニットの動作とが連動する様子を示す側面図。
【符号の説明】
【００６３】
10  スロットマシン                     20  下ユニット
21  下筐体                             22  下前扉
23  ヒンジ                             24  下固定用穴
25  ホッパーユニット                   26  電源ユニット
27  下パネル                           28  メダル払出口
29  メダル受け皿                       30  下電源線
31  下電源線のコネクタ                 32  下信号線
33  下信号線のコネクタ                 40  上ユニット
41  上筐体                             42  上前扉
43  ヒンジ                             44  上固定用穴
45  リールユニット                     46  制御装置
47  メダル処理ユニット                 48  上パネル
49  リール窓                           50  操作部
51  メダル投入口                       52  シングルベットスイッチ
53  マックスベットスイッチ             54  精算スイッチ
55  スタートスイッチ                   56  ストップスイッチ
57  ランプ                             58  上電源線
59  上電源線のコネクタ                 60  上信号線
61  上信号線のコネクタ                 70  上下筐体固定手段
71  第１筐体固定具                     72  半円筒係合部
73  軸支部                             74  レバー部
75  回動軸                             76  第２筐体固定具
77  被係合部                           80  上下前扉固定手段
81  第１扉固定具                       82  軸受部
83  操作レバー                         84  クランクアーム
85  伸縮アーム                         86  基部
87  伸縮部                             88  係止部
89  第２扉固定具                       90  係止フック
100  下係合部                          101  下ローラー受け片
110  下施錠ユニット                    111  下ガイド体
112  下ローラー支持部                  113  下ローラー
114  シリンダ錠                        115  鍵穴
116  カム板                            117  下摺動体
118  押し上げ片                        119  下鉤爪体
120  下傾斜辺                          121  下向き溝
122  下スプリング                      123  スイッチ操作体
124  遮光片                            125  フォトセンサー
126  第１係止片                        127  第２係止片
128  縦長切欠部
130  上係合部                          131  上ローラー受け片
140  上施錠ユニット                    141  上ガイド体
142  上ローラー支持部                  143  上ローラー
144  上摺動体                          145  被押し上げ片
146  上鉤爪体                          147  上傾斜辺
148  上向き溝                          149  揺動軸
150  リンク機構                        151  リンク軸
152  上スプリング
【図１】
2006198285.tif 000003
【図２】
2006198285.tif 000004
【図３】
2006198285.tif 000005
【図４】
2006198285.tif 000006
【図５】
2006198285.tif 000007
【図６】
2006198285.tif 000008
【図７】
2006198285.tif 000009
【図８】
2006198285.tif 000010
【図９】
2006198285.tif 000011
【図１０】
2006198285.tif 000012
【図１１】
2006198285.tif 000013